(57)【特許請求の範囲】
【請求項１】
車両に搭載し、ウィンドシールドの前方に第１の虚像と第２の虚像を表示するヘッドアップディスプレイ装置において、
前記ヘッドアップディスプレイ装置のグレアトラップ部に機能性フィルムを取り付け、
前記第１の虚像を表示するため、前記グレアトラップ部を通過して前記ウィンドシールドへ第１の映像を投射する第１の映像表示装置と、
前記第２の虚像を表示するため、前記機能性フィルム上に第２の映像を生成し、該第２の映像を前記ウィンドシールドへ投射する第２の映像表示装置と、
を備えることを特徴とするヘッドアップディスプレイ装置。
【請求項２】
請求項１に記載のヘッドアップディスプレイ装置において、
前記第２の映像表示装置は、表示素子に生成した映像を前記機能性フィルムに投射して前記第２の映像を生成することを特徴とするヘッドアップディスプレイ装置。
【請求項３】
請求項１に記載のヘッドアップディスプレイ装置において、
前記第２の映像表示装置は、レーザ光を前記機能性フィルムに照射して前記第２の映像を生成することを特徴とするヘッドアップディスプレイ装置。
【請求項４】
請求項１に記載のヘッドアップディスプレイ装置において、
前記機能性フィルムは、印加電圧に応じて光透過率が変化する可変透過率フィルムであり、
前記可変透過率フィルムが透明状態のときは前記第１の映像を透過し、前記可変透過率フィルムが不透明状態のときは前記第２の映像を生成することを特徴とするヘッドアップディスプレイ装置。
【請求項５】
請求項３に記載のヘッドアップディスプレイ装置において、
前記機能性フィルムは、特定波長のレーザ光を照射すると照射された部分が発光する透明な自発光フィルムであり、
前記自発光フィルムは前記第１の映像を透過し、前記特定波長のレーザ光を照射することで前記第２の映像を生成することを特徴とするヘッドアップディスプレイ装置。
【請求項６】
請求項１に記載のヘッドアップディスプレイ装置において、
前記機能性フィルムを前記グレアトラップ部の一部領域に取り付けて、前記機能性フィルムを取り付けた領域から前記第２の虚像を表示し、前記機能性フィルムを取り付けていない領域から前記第１の虚像を同時に表示することを特徴とするヘッドアップディスプレイ装置。
【請求項７】
請求項４に記載のヘッドアップディスプレイ装置において、
前記可変透過率フィルムを分割して前記グレアトラップ部に取り付けて、分割した前記可変透過率フィルムごとに印加電圧を変え、
前記可変透過率フィルムが透明状態の領域から前記第１の虚像を表示し、前記可変透過率フィルムが不透明状態の領域から前記第２の虚像を同時に表示することを特徴とするヘッドアップディスプレイ装置。
【請求項８】
請求項４に記載のヘッドアップディスプレイ装置において、
投射する前記第１の映像と前記第２の映像を交互に切り替えるとともに、該切り替えに合わせて前記可変透過率フィルムに対する印加電圧の切り替えを行うことで、前記第１の虚像と前記第２の虚像を交互に表示することを特徴とするヘッドアップディスプレイ装置。
【発明の詳細な説明】
【技術分野】
【０００１】
本発明は、車両等に搭載し各種映像情報を表示するヘッドアップディスプレイ装置に関するものである。
【背景技術】
【０００２】
近年、映像を現実空間に重ねて表示する技術の１つとして、車両のフロントガラス（ウィンドシールドともいう）に各種情報を表示するヘッドアップディスプレイ（Head Up Display：ＨＵＤ）が実用化されている。例えば表示する映像情報として運転者向けの情報を提供することで、車両の運転操作を支援することができる。【０００３】
ＨＵＤの基本構成は、光学的に生成した映像を凹面ミラーによりフロントガラスに投射し、反射した映像光が運転者の眼に入射し、運転者はその虚像をフロントガラスの前方に視認するものである。その際、運転者が視認する虚像の位置を変えること、すなわち、フロントガラスから遠距離に表示する場合と近距離に表示する場合との両方が可能な装置が提案されている。【０００４】
例えば特許文献１には、２系統の映像表示系を備え、凹面鏡からそれぞれの液晶表示パネルまでの光路長を異ならせて配置し、表示される２つの虚像までの距離を変える構成が開示されている。
【先行技術文献】
【特許文献】
【０００５】
【特許文献１】特開２０１３−１１６４５号公報
【発明の概要】
【発明が解決しようとする課題】
【０００６】
特許文献１に記載の虚像表示装置では、遠距離表示と近距離表示の両用が可能であるが、ほぼ同等性能の表示器（光源および液晶表示部）を２系統配置するため、装置全体が大型化してしまう課題がある。そのため、スペースが限られているダッシュボード内に大型の装置を収納することが困難な場合が生じる。また、２系統の表示光の一方を透過し、他方を反射させるハーフミラーが必要となるために、光の利用効率が低下する。その分、光源が大型化し、消費電力の増大、発熱量の増加などの課題が生じる。【０００７】
本発明の目的は、ハーフミラーを不要とし、遠距離表示と近距離表示の両用が可能な小型のヘッドアップディスプレイ装置を提供することである。
【課題を解決するための手段】
【０００８】
本発明は、車両に搭載し、ウィンドシールドの前方に表示距離の異なる第１の虚像と第２の虚像を表示するヘッドアップディスプレイ装置において、前記ヘッドアップディスプレイ装置のグレアトラップ部に機能性フィルムを取り付け、前記第１の虚像を表示するため、前記グレアトラップ部を通過して前記ウィンドシールドへ第１の映像を投射する第１の映像表示装置と、前記第２の虚像を表示するため、前記機能性フィルム上に第２の映像を生成し、該第２の映像を前記ウィンドシールドへ投射する第２の映像表示装置と、を備える構成とする。
【発明の効果】
【０００９】
本発明によれば、ハーフミラーを不要とし、遠距離表示と近距離表示の両用が可能な小型のヘッドアップディスプレイ装置を提供することができる。
【図面の簡単な説明】
【００１０】
【図１】車両に搭載したヘッドアップディスプレイ（ＨＵＤ）装置の模式図。
【図２】車両情報の取得に係るハードウェア構成の例を示す図。
【図３Ａ】ＨＵＤ装置の内部構成を示すブロック図（投影表示方式）。
【図３Ｂ】ＨＵＤ装置の内部構成を示すブロック図（レーザ走査方式）。
【図４】ＨＵＤ装置による映像表示状態を示す模式図。
【図５】ＨＵＤ装置の外観を示す図。
【図６】ＨＵＤ装置の内部構造と映像光の光路を示す図。
【図７】遠近虚像の表示位置を示す図。
【図８】遠近虚像の表示切り替えを示すフローチャート。
【図９】遠近虚像の同時表示を説明する図。
【図１０】機能性フィルムの各種分割パターンを示す図。
【図１１】遠近虚像の同時表示を好適に行うためのフローチャート。
【図１２】遠近虚像の交互表示の方法を説明する図。
【図１３】遠近虚像の交互表示の例を示す図。
【図１４】遠近虚像の交互表示動作を示すフローチャート。
【図１５Ａ】第２の映像表示装置の設置位置を変えた例を示す図。
【図１５Ｂ】第２の映像表示装置の設置位置を変えた例を示す図。
【図１５Ｃ】第２の映像表示装置の設置位置を変えた例を示す図。
【発明を実施するための形態】
【００１１】
始めに、２系統の映像表示系を備えるヘッドアップディスプレイ装置の基本構成について説明する。
図１は、車両に搭載したヘッドアップディスプレイ装置（以下、ＨＵＤ装置と略す）の概要を説明する模式図である。車両２に搭載されたＨＵＤ装置１は、２系統の映像表示装置３０ａ，３０ｂで生成したそれぞれの映像光を車両２のフロントガラス（以下、ウィンドシールド３と呼ぶ）に投射する。ウィンドシールド３で反射した映像光は運転者の目に入射し、運転者はＨＵＤからの映像を視認する。表示する映像には運転に関連する情報が含まれ、運転操作を支援するものとなる。ＨＵＤ装置１の内部は、各種の車両情報４を取得する車両情報取得部１０と、これをもとに表示する映像情報を生成する制御部２０と、映像光を反射する凹面ミラー４１および凹面ミラー４１を駆動するミラー駆動部４２、運転者に音声情報を出力するスピーカ６０などを有する。車両情報４には、車両の運転状態を示す速度情報やギア情報などが含まれる。
【００１２】
図２は、ＨＵＤ装置１における車両情報４の取得に係るハードウェア構成の例を示す図である。ここでは主に車両情報取得部１０および制御部２０の一部のハードウェア構成について示す。車両情報４の取得は、例えば、制御部２０内の電子制御ユニット（ＥＣＵ、Electronic Control Unit）２１の制御の下、ＥＣＵ２１に接続された各種のセンサ等の情報取得デバイスにより行われる。これらのデバイスには以下のものが含まれる。
【００１３】
車速センサ１０１は、車両２の速度情報を取得する。シフトポジションセンサ１０２は、車両２の現在のギア情報を取得する。ハンドル操舵角センサ１０３は、ハンドル操舵角情報を取得する。ヘッドライトセンサ１０４は、ヘッドライトのＯＮ／ＯＦＦに係るランプ点灯情報を取得する。照度センサ１０５および色度センサ１０６は、外光情報を取得する。測距センサ１０７は、車両２と外部の物体との間の距離情報を取得する。赤外線センサ１０８は、車両２の近距離における物体の有無や距離等に係る赤外線情報を取得する。エンジン始動センサ１０９は、エンジンＯＮ／ＯＦＦ情報を検知する。
【００１４】
加速度センサ１１０およびジャイロセンサ１１１は、車両２の姿勢や挙動の情報として、加速度や角速度からなる加速度ジャイロ情報を取得する。温度センサ１１２は車内外の温度情報を取得する。路車間通信用無線受信機１１３および車車間通信用無線受信機１１４は、それぞれ、車両２と道路や標識、信号等との間の路車間通信により受信した路車間通信情報、および車両２と周辺の他の車両との間の車車間通信により受信した車車間通信情報を取得する。
【００１５】
カメラ（車内）１１５およびカメラ（車外）１１６は、それぞれ、車内および車外の状況の動画像を撮影してカメラ映像情報（車内／車外）を取得する。カメラ（車内）１１５では、例えば、運転者の姿勢や、眼の位置、動き等を撮影する。得られた動画像を解析することにより、例えば、運転者の疲労状況や視線の位置などを把握することが可能である。また、カメラ（車外）１１６では、車両２の前方や後方等の周囲の状況を撮影する。得られた動画像を解析することにより、例えば、周辺の他の車両や人等の移動物の有無、建物や地形、路面状況（雨や積雪、凍結、凹凸等）などを把握することが可能である。
【００１６】
ＧＰＳ受信機１１７およびＶＩＣＳ（Vehicle Information and Communication System：道路交通情報通信システム、登録商標（以下同様））受信機１１８は、それぞれ、ＧＰＳ信号を受信して得られるＧＰＳ情報およびＶＩＣＳ信号を受信して得られるＶＩＣＳ情報を取得する。これらの情報を取得して利用するカーナビゲーションシステムの一部として実装されていてもよい。
【００１７】
なお、各種デバイスはＨＵＤの外部に存在するものとしたが、ＨＵＤの内部に備えていてもよい。また、必ずしもこれら全てのデバイスを備えている必要はなく、また、他の種類のデバイスを備えていてもよい。
【実施例１】
【００１８】
実施例１では、２系統の映像表示装置３０ａ，３０ｂでそれぞれ遠距離虚像と近距離虚像を表示する構成について説明する。近距離虚像用の映像表示装置では、装置開口部に機能性フィルムを設けて、機能性フィルム面に生成した映像を投射する構成としている。実施例１では、機能性フィルムとして電圧印加により透過率が変化する可変透過率フィルムを使用する場合を取り上げる。【００１９】
図３Ａと図３Ｂは、ＨＵＤ装置１の内部構成を示すブロック図である。ＨＵＤ装置１は２系統の映像表示装置３０ａ、３０ｂを備え、第１の映像表示装置３０ａは遠距離表示用、第２の映像表示装置３０ｂは近距離表示用とし、それぞれの系統の構成要素を「第１」、「第２」と呼んで区別することにする。【００２０】
第２の映像表示装置３０ｂについては２つの表示方式が可能であるが、いずれも、ＨＵＤ装置１の開口部に設置した機能性フィルム５１にて第２の映像を生成させ、それをウィンドシールド３に向けて投射する構成である。図３Ａは、映像表示素子（液晶パネルなど）に生成した第２の映像光を機能性フィルム５１に投射する方式（投影表示方式）である。図３Ｂは、レーザ光を機能性フィルム５１に走査して第２の映像を生成する方式（レーザ走査方式）である。以下、それぞれの方式について説明する。【００２１】
図３Ａの投影表示方式において、第１、第２の映像表示装置３０ａ，３０ｂは、それぞれ、ＬＥＤなどの光源３１ａ，３１ｂ、照明光学系３２ａ，３２ｂ、液晶素子などの表示素子３３ａ，３３ｂを有する。第１の表示素子３３ａで生成された第１の映像光は凹面ミラー４１で反射された後、ＨＵＤ装置１の開口部を覆い、映像光が透過できる素材からなるグレアトラップ部（防眩板）から出射する。第２の表示素子３３ｂで生成された第２の映像光は、凹面ミラー４１を介さずに、グレアトラップ部（防眩板）に投射される。【００２２】
グレアトラップ部には機能性フィルム（可変透過率フィルム）５１を取り付けてあり、第１の映像光に対しては機能性フィルム５１を透明にして入射する第１の映像光をそのまま透過させる。第２の映像光に対しては機能性フィルム５１を不透明（白濁状態）にして、フィルム面に第２の映像を生成させる。このようにして、遠距離用の第１の映像と、近距離用の第２の映像を生成する。【００２３】
車両情報取得部１０には各種の車両情報４が入力され制御部２０へ送られる。制御部２０内の電子制御ユニット（ＥＣＵ）２１は、入力した車両情報４に基づきＨＵＤ装置１が表示する遠近表示用の２系統の映像信号を生成する。また、車両情報４に基づき、凹面ミラー４１に対する制御信号やスピーカ６０の音声信号を生成する。【００２４】
制御部２０内には、スピーカ６０に音声信号を出力する音声出力部２２、ＥＣＵ２１が実行するプログラムを格納する不揮発性メモリ２３、映像情報や制御情報を記憶するメモリ２４を有する。第１、第２の映像表示装置３０ａ，３０ｂに対し、それぞれの光源３１ａ，３１ｂを制御する光源調整部２５ａ，２５ｂ、表示するそれぞれの映像信号の歪みを補正する歪み補正部２６ａ，２６ｂ、補正された映像信号に基づきそれぞれの表示素子３３ａ，３３ｂを駆動する表示素子駆動部２７ａ，２７ｂを有する。【００２５】
また、第１の映像表示装置３０ａにおいては、凹面ミラー４１を駆動するミラー駆動部４２に対して駆動信号を出力するミラー調整部２８を有する。機能性フィルム制御部５２は、機能性フィルム５１に印加する電圧を切り替えて、機能性フィルム５１の透過率（透明／白濁）を制御する。【００２６】
図３Ｂに示すレーザ走査方式においては、第２の映像表示装置３０ｂは、レーザ光源３４とレーザ光を２次元状に走査する走査ミラー３５を有する。走査ミラー３５には、例えばＭＥＭＳ（Micro Electro Mechanical Systems）を用いる。制御部２０には、映像信号のレベルに応じてレーザ光源３４を駆動する光源駆動部２５ｃと、映像信号の水平、垂直同期信号に応じて走査ミラー３５を駆動する走査駆動部２８ｃを有する。【００２７】
走査ミラー３５で反射されたレーザ光は映像信号に従い機能性フィルム５１上を走査する。その際、機能性フィルム制御部５２により機能性フィルム５１を不透明（白濁状態）とすることで、フィルム面に第２の映像を生成させる。【００２８】
図３Ａの投影表示方式と図３Ｂのレーザ走査方式においては、第１、第２の映像光を投射するために、いずれもハーフミラーを不要としており、ハーフミラー使用による光利用効率の低下がない。また、第２の映像表示装置３０ｂ側の出射光学系には凹面ミラーが存在しないので、第１の映像表示装置３０ａ側の出射光学系よりも簡単な構成で小型化が可能になる。特に、図３Ｂのレーザ走査方式は図３Ａの投影表示方式よりも、映像表示装置内の照明光学系が不要になるので、より小型化が可能になる。その結果、遠近両用の２系統の映像表示が可能な小型のＨＵＤ装置を実現できる。【００２９】
図４は、ＨＵＤ装置１による映像表示状態を示す模式図である。車両２のダッシュボードの内部に設置された第１、第２の映像表示装置３０ａ，３０ｂから、第１、第２の映像光が出射される。第２の映像表示装置３０ｂは、図３Ａに示した「投影表示方式」と図３Ｂに示した「レーザ走査方式」のいずれでもよい。この図では、図３Ｂの「レーザ走査方式」のイメージを示している。【００３０】
第１の映像表示装置３０ａから出射した第１の映像光６ａは、第１のミラー４１ａと第２のミラー４１ｂで反射され、グレアトラップ部５０に向けて投射される。第１のミラー４１ａは固定されており、第２のミラー４１ｂは凹面形状（自由曲面形状、光軸非対称の形状を含む）を有し、ミラー駆動部４２により回転可能となっている。以下の説明では、第２のミラー４１ｂを単に「凹面ミラー４１」と呼ぶことにする。一方、第２の映像表示装置３０ｂから出射した第２の映像光６ｂは、直接グレアトラップ部５０に投射される。【００３１】
グレアトラップ部５０には機能性フィルム５１が取り付けてあり、電圧印加により透過率が変化する。第１の映像光６ａを投射する場合は機能性フィルム５１を透明状態とし、第１の映像光６ａをそのまま通過させる。第２の映像光６ｂを投射する場合は機能性フィルム５１を白濁状態とし、光を散乱させることでその位置で第２の映像が生成される。【００３２】
第１の映像光６ａは透明状態の機能性フィルム５１を通過し、ウィンドシールド３にて反射され運転者の目８に入射して網膜上に結像することで、映像を視認することができる。このとき運転者は、ウィンドシールド３から前方に存在する第１の虚像９ａを見ていることになる。運転者の視認する第１の虚像９ａの位置は、第１の映像表示装置３０ａの映像生成面である第１の表示素子３３ａからの距離と、光路に配置した投射レンズ（図では省略）の倍率で決まり、ウィンドシールド３から遠距離の位置に表示される。以下の説明では、第１の虚像９ａは「遠距離の虚像９ａ」とも呼ぶことにする。
【００３３】
一方第２の映像光６ｂは、白濁状態の機能性フィルム５１に照射されることで、その位置で第２の映像が生成される。生成された第２の映像はウィンドシールド３にて反射され、運転者の目８に入射して視認することができる。このとき運転者は、ウィンドシールド３から前方に存在する第２の虚像９ｂを視認する。ただし視認する第２の虚像９ｂの位置は、映像生成面である機能性フィルム５１（グレアトラップ部５０）からの距離で決まるので、ウィンドシールド３から近距離の位置に表示される（この場合投射レンズは使用しない）。以下の説明では、第２の虚像９ｂは「近距離の虚像９ｂ」とも呼ぶことにする。
【００３４】
このように、グレアトラップ部５０に機能性フィルム５１を取り付け、電圧印加により透明と白濁状態を切り替えるようにする。遠距離の虚像９ａを表示するときは機能性フィルム５１を透明状態とし、遠距離表示用の第１の映像表示装置３０ａから第１の映像光６ａを投射する。近距離の虚像９ｂを表示するときは機能性フィルム５１を白濁状態とし、近距離表示用の第２の映像表示装置３０ｂから第２の映像光６ｂを投射する。このようにして、遠近両用の虚像を切り替えて表示することができる。【００３５】
なお、後述するように、グレアトラップ部５０に対し機能性フィルム５１を部分的に設置することで、機能性フィルムの非設置領域では遠距離の虚像を、機能性フィルム（白濁状態）の設置領域では近距離の虚像を、同時に表示することも可能である。【００３６】
図５は、ＨＵＤ装置の外観を示す図である。ＨＵＤ装置１から出射された第１、第２の映像光は、グレアトラップ部５０から図面上方へ投射される。ＨＵＤ装置１の外装ケースの上面には、映像光がウィンドシールド３に向かって投射される開口部が形成されており、当該開口部はグレアトラップ部５０（防眩板）によって覆われている。グレアトラップ部５０は映像光を透過できる凹面状の素材からなり、外光に対して防眩作用を行う部分である。本実施例ではこのグレアトラップ部５０の外側または内側の全領域、あるいは一部の領域に、機能性フィルム５１を取り付けている。この図では、ほぼ全領域に取り付けた場合を示す。【００３７】
機能性フィルム５１は、印加する電圧により透過率（透明／白濁）が変化する透過率可変型フィルムであり、機能性液晶フィルムや調光フィルムなどとも呼ばれる。機能性フィルム５１は、電圧印加により透過率が増大するタイプと、電圧印加により透過率が減少するタイプとが存在する。本実施例ではいずれのタイプでも使用可能であるが、以下の説明では、後者のタイプ、すなわち、電圧印加（ＯＮ）で白濁状態に、電圧印加（ＯＦＦ）で透明状態に変化する場合とする。【００３８】
図６は、ＨＵＤ装置１の内部構造と映像光の光路を示す図である。ＨＵＤ装置１の下部には、第１、第２の映像表示装置３０ａ，３０ｂが配置されている。上部のグレアトラップ部５０には、機能性フィルム５１が取り付けられている。【００３９】
第１の映像表示装置３０ａから出射された第１の映像光６ａ（破線、灰色塗りつぶしで示す）は、投射レンズ４３で拡大され、第１のミラー４１ａと第２のミラー４１ｂ（凹面ミラー４１）で反射され、グレアトラップ部５０から投射される。一方、第２の映像表示装置３０ｂから出射された第２の映像光６ｂ（実線で示す）は直接グレアトラップ部５０に出射する。【００４０】
グレアトラップ部５０に取り付けた機能性フィルム５１が透明状態のとき、第１の映像光６ａはそのまま上方へ投射される。一方、グレアトラップ部５０に取り付けた機能性フィルム５１が白濁状態のとき、第２の映像光６ｂによりフィルム内に第２の映像が生成されて上方へ投射される。この図では、第２の映像の生成領域はグレアトラップ部５０（機能性フィルム５１）の一部領域としている。【００４１】
この構成によれば、第２の映像表示装置３０ｂは出射光学系が小型であるため配置の制約が少なく、第１の映像表示装置３０ａを避けた空間に配置することができる。よって、２系統の映像表示装置を備えつつ小型のＨＵＤ装置１を実現することができる。【００４２】
図７は、遠近虚像の表示位置を示す図である。機能性フィルム５１を透明状態とし、第１の映像表示装置３０ａから映像を投射すると、車両２内の運転者の目８から見える第１の虚像９ａは遠距離（例えば４０ｍ先）に表示される。この表示距離は、投射レンズ４３の選択とレンズ位置の調整により可変である。一方、機能性フィルム５１を白濁状態とし、第２の映像表示装置３０ｂから映像を出射すると、第２の虚像９ｂは近距離（例えば３ｍ先）に表示される。この表示距離は、運転者の目８の位置からウィンドシールド３までの距離と、ウィンドシールド３から機能性フィルム５１を取り付けたグレアトラップ部５０までの距離で決まる。よって、グレアトラップ部５０の位置を変えることで、表示距離を変えることができる。第１の虚像９ａと第２の虚像９ｂは、運転者の目８から見てほぼ同一視線上に存在する。なお、遠距離表示する映像は、主に実景に重畳して表示する情報である。また、近距離表示する映像は、主に速度・距離・標識情報など実景に重畳しないで表示する情報である。【００４３】
図８は、遠近虚像の表示切り替えを示すフローチャートである。表示する映像の種類に応じて、表示距離を自動で切り替える内容としている。以下の処理は制御部２０の電子制御ユニット（ＥＣＵ）２１により制御される。なお、近距離表示方式は、図３Ａの投影表示方式の場合としている。【００４４】
エンジン始動センサ１０９により電源（イグニッション）ＯＮの信号を受けると、車両情報取得部１０により車両情報４を取得する（Ｓ２０１）。まず、照度センサ１０５による外光情報から適切な明るさレベルを算出し、光源調整部２５ａ，２５ｂを制御して光源３１ａ，３１ｂの明るさレベルを設定する（Ｓ２０２）。また、取得した車両情報４から運転者が選択した情報（例えば、現在の車速情報）を抽出して、表示する映像を決定する（Ｓ２０３）。【００４５】
表示映像が決定されると、それを表示する距離が遠距離であるか近距離であるかを判定する（Ｓ２０４）。そのため不揮発性メモリ２３には、予め表示映像の種類と表示距離との関係を記憶させておく。例えば、前方道路の状況（車線表示など）のように実景に重畳して表示する情報については遠距離表示とし、車速情報など実景に重畳しないで表示する情報については近距離表示とする。遠距離表示を行うか、近距離表示を行うかで処理が分岐する。【００４６】
遠距離表示の場合は、表示する映像に対し、第１の歪み補正部２６ａにより投射光学系（例えばウィンドシールド３の曲面形状）で生じる映像歪みの補正を実施する（Ｓ２０５ａ）。表示素子駆動部２７ａにより、第１の表示素子３３ａに対して駆動信号を供給する（Ｓ２０６ａ）。そして、機能性フィルム制御部５２は、機能性フィルム５１の印加電圧をＯＦＦにしてフィルムを透明状態とする（Ｓ２０７ａ）。【００４７】
ＨＵＤ表示のＯＮ信号を受けると、第１の映像表示装置３０ａの光源３１ａを点灯させ（Ｓ２０８ａ）、遠距離用の第１の虚像の表示を行う（Ｓ２０９ａ）。【００４８】
近距離表示の場合は、表示する映像に対し、第２の歪み補正部２６ｂにより投射光学系で生じる映像歪みの補正を実施する（Ｓ２０５ｂ）。表示素子駆動部２７ｂにより、第２の表示素子３３ｂに対して駆動信号を供給する（Ｓ２０６ｂ）。そして、機能性フィルム制御部５２は、機能性フィルム５１の印加電圧をＯＮにしてフィルムを白濁状態とする（Ｓ２０７ｂ）。【００４９】
ＨＵＤ表示のＯＮ信号を受けると、第２の映像表示装置３０ｂの光源３１ｂを点灯させ（Ｓ２０８ｂ）、近距離用の第２の虚像の表示を行う（Ｓ２０９ｂ）。【００５０】
以上の表示方法は、遠距離虚像と近距離虚像のいずれかを選択して表示するものである。これに対し、表示領域を分割して、遠距離虚像と近距離虚像の両方を同時に表示することも可能である。【００５１】
図９は、遠近虚像の同時表示を説明する図である。（ａ）と（ｂ）は機能性フィルム５１の取り付け構成の例を示し、（ｃ）は車両内から見た遠近虚像の表示状態を示す。【００５２】
（ｃ）のように、虚像の表示領域９０は、遠距離用の表示領域９０ａと近距離用の表示領域９０ｂとに分割されている。そして、それぞれの領域には、第１、第２の映像表示装置３０ａ，３０ｂから出射された遠距離虚像９ａと近距離虚像９ｂとが同時に表示されている。【００５３】
これを実現するための機能性フィルム５１は、（ａ）のように、グレアトラップ部５０のうち、近距離表示領域９０ｂに対応する領域のみに機能性フィルム５１を取り付け、電圧をＯＮにして白濁状態とする。あるいは（ｂ）のように、グレアトラップ部５０の全面に機能性フィルム５１を取り付け、近距離表示領域９０ｂに対応する領域のみ電圧をＯＮして白濁状態とする。そして、第１の映像表示装置３０ａと第２の映像表示装置３０ｂから、それぞれ第１の映像と第２の映像を同時に出射すればよい。なお、（ｂ）の構成によれば、電圧印加領域の面積を変更することで遠近表示領域の大きさを可変とすることができる。【００５４】
図１０は、機能性フィルムの各種分割パターンを示す図である。(ａ１)〜（ａ４）は機能性フィルムを上下２分割し（５１ａ，５１ｂ）、それぞれの領域を電圧ＯＮ／ＯＦＦ制御する場合である。これにより、遠距離虚像を全面に表示する場合（ａ１）、近距離虚像を全面に表示する場合（ａ２）、遠距離虚像と近距離虚像を上下に同時に表示する場合（ａ３，ａ４）とを切り替えることができる。【００５５】
さらに(ｂ１)〜（ｂ４）は機能性フィルムを上下３分割する場合である（５１ｃ〜５１ｅ）。これによれば、例えば（ｂ３）のように、中央領域５１ｄに遠距離虚像を表示し、上下端５１ｃ，５１ｅに近距離虚像（速度や距離情報）を表示することができる。【００５６】
機能性フィルムの透過率は、電圧印加によりフィルム内粒子の状態（配光性）を変化させることで実現する訳であるが、透明状態と白濁状態の間の遷移が完了するまでには所定の時間が必要となる。もし、遷移途中で表示を開始すると、運転者に見える遠距離虚像と近距離虚像の表示タイミングにずれが生じて、見にくいものとなる。特に、図１０のような機能性フィルムの分割パターンを用いて遠近虚像を同時に表示する場合は、機能性フィルムの遷移時間を考慮して、遠近映像の出射タイミングを調整することが好ましい。【００５７】
図１１は、遠近虚像の同時表示を好適に行うためのフローチャートである。機能性フィルム５１のうち、近距離表示する領域の電圧をＯＮにして（Ｓ３０１）、遷移が完了して白濁状態になるまで所定時間（ｔ０）だけ待機する（Ｓ３０２）。この所定時間（ｔ０）はフィルム材料の遷移時間で決まる量である。その後、第１、第２の映像表示装置３０ａ，３０ｂの光源３１ａ，３１ｂを点灯させ、遠距離用映像と近距離用映像の出射を開始して（Ｓ３０３ａ，Ｓ３０３ｂ）、遠近虚像の同時表示を行う（Ｓ３０４）。【００５８】
遠近虚像の同時表示を終了するときは、まず、第１、第２の映像表示装置３０ａ，３０ｂの光源３１ａ，３１ｂを消灯させ、遠距離用映像と近距離用映像の出射を停止させる（Ｓ３０５ａ，Ｓ３０５ｂ）。その後、機能性フィルムの電圧をＯＦＦにして、透明状態に遷移させる（Ｓ３０６）。このように、機能性フィルムの遷移時間を考慮して光源３１ａ，３１ｂの点灯／消灯を行うことで、遠近虚像の表示タイミングが揃い、見やすい表示を行うことができる。【００５９】
実施例１の各構成によれば、ハーフミラーを不要とし、遠距離表示と近距離表示の両用が可能な小型のＨＵＤ装置を提供することができる。
【実施例２】
【００６０】
実施例２では、遠距離虚像と近距離虚像とを交互に表示する場合について説明する。遠近虚像の表示切り替えを高速で行えば、運転者には遠近虚像を同時に表示しているように見える。また、表示領域の同じ位置に遠距離虚像と近距離虚像とを交互に表示することで、遠距離虚像と近距離虚像を重ねて表示することもできる。
【００６１】
図１２は、遠近虚像の交互表示の方法を説明する図である。ＨＵＤ装置１のグレアトラップ部５０の全面に機能性フィルム５１を取り付けて、出射する遠距離用／近距離用映像に合わせて印加電圧のＯＮ／ＯＦＦ制御を行う。（ａ）は遠距離用映像を出射する場合で、機能性フィルム５１の電圧をＯＦＦ（透明）にして、第１の映像表示装置３０ａから遠距離用の第１の映像光６ａを出射する。（ｂ）は近距離用映像を出射する場合で、機能性フィルム５１の電圧をＯＮ（白濁）にして、第２の映像表示装置３０ｂから、近距離用の第２の映像光６ｂを出射する。これを交互に切り替える。【００６２】
図１３は、遠近虚像の交互表示の例を示す図である。（ａ）は表示領域９０に遠距離虚像９ａを表示している場合で、（ｂ）は表示領域９０に近距離虚像９ｂを表示している場合である。これを交互に切り替えると運転者には、（ｃ）のように、表示領域９０には遠距離虚像９ａと近距離虚像９ｂとが同時に表示されているように見える。この例では遠距離虚像９ａと近距離虚像９ｂとが離れた位置に表示されているが、両者の一部を重ねた状態で表示することも可能である。【００６３】
図１４は、遠近虚像の交互表示動作を示すフローチャートである。遠距離虚像９ａを時間ｔａだけ表示する動作と、近距離虚像９ｂを時間ｔｂだけ表示する動作を交互に繰り返す。表示時間ｔａ，ｔｂは、例えば表示映像の垂直同期タイミングに合わせて設定する。【００６４】
まず、機能性フィルム５１の印加電圧をＯＦＦ（透明）にして（Ｓ４０１）、第１の映像表示装置３０ａの光源３１ａを点灯させ、遠距離用映像の出射を開始する（Ｓ４０２）。所定時間ｔａだけ表示させたら（Ｓ４０３）、遠距離用映像の出射を停止する（Ｓ４０４）。【００６５】
次に、機能性フィルム５１の印加電圧をＯＮ（白濁）にして（Ｓ４０５）、第２の映像表示装置３０ｂの光源３１ｂを点灯させ、近距離用映像の出射を開始する（Ｓ４０６）。所定時間ｔｂだけ表示させたら（Ｓ４０７）、近距離用映像の出射を停止する（Ｓ４０８）。表示を継続するか否かを判定し（Ｓ４０９）、継続する場合はＳ４０１へ戻り、上記動作を繰り返す。【００６６】
実施例２の構成によれば、遠近虚像を交互に表示することで同時に表示しているように見せる効果があり、また、遠近虚像を重ねて表示することもできる。
【実施例３】
【００６７】
実施例３では、機能性フィルムとして、特殊なレーザ光を照射すると映像を生成するフィルム（ここでは、自発光フィルムと呼ぶ）を用いる場合について説明する。自発光フィルムは通常透明であるが、ある特定の波長のレーザ光を照射すると、照射された部分の発光体が発光して特定色（例えば緑色）の文字や映像を生成するものである。特定のレーザ光以外の映像光を照射した場合は、そのまま透過する性質がある。【００６８】
実施例１，２では、機能性フィルムとして透過率可変のフィルムを使用したが、これに代えて、上記の自発光フィルムを使用する。ＨＵＤ装置の構成は図３Ｂのレーザ走査方式を用いることができるが、機能性フィルム制御部５２は不要となる。また、機能性フィルム５１（自発光フィルム）の取り付けは図５と同様であるが、グレアトラップ部５０に部分的に取り付けてもよい。【００６９】
遠距離虚像表示の場合は第１の映像表示装置３０ａから第１の映像光６ａを出射し、自発光フィルムを透過して第１の虚像９ａを表示する。近距離虚像表示の場合は第２の映像表示装置３０ｂから出射する第２の映像光６ｂ（レーザ光）を走査して、自発光フィルム上に第２の映像を生成し、この第２の映像を投射して第２の虚像９ｂを表示する。また、遠距離虚像と近距離虚像を同時に表示することも可能である。【００７０】
実施例３によれば、近距離虚像９ｂの表示色が固定されるが、機能性フィルムに対する電圧制御が不要になり、装置構成が簡単化する。また、自発光フィルムの場合、近距離表示ではレーザ光の特定波長のみを効率よく利用するので、遠距離表示を同時に行う場合であっても、光の利用効率を維持することができる。
【実施例４】
【００７１】
実施例４では、第２の映像表示装置３０ｂの様々な設置位置について説明する。近距離表示用の第２の映像表示装置３０ｂとして図３Ｂに示したレーザ走査方式を用いる場合、第２の映像表示装置３０ｂの小型化が可能であるため設置位置に自由度がある。
【００７２】
図１５Ａ〜図１５Ｃは、第２の映像表示装置３０ｂの設置位置を変えた例を示す図である。図１５Ａは、第２の映像表示装置３０ｂを第１のミラー４１ａの近傍に設置した場合であり、図１５Ｂは、第２の映像表示装置３０ｂを凹面ミラー４１（４１ｂ）の近傍に設置した場合である。いずれも第２の映像光６ｂを機能性フィルム５１に向けて出射させれば、機能性フィルム５１で生成された第２の映像がウィンドシールド３で反射されて、運転者は第２の虚像９ｂとして視認することができる。さらに図１５Ｃは、第２の映像表示装置３０ｂを車両内の天井に設置した場合であり、天井から第２の映像光６ｂをダッシュボード上の機能性フィルム５１に向けて出射する構成である。これは、ダッシュボード内に第２の映像表示装置３０ｂを設置するスペースが確保できない場合に有効となる。【００７３】
実施例４によれば、第２の映像表示装置３０ｂは第１の映像表示装置３０ａの空きスペースに設置することが可能であり、その結果、遠近２系統の映像を表示するＨＵＤ装置の小型化が実現できる。【００７４】
本発明は上記した実施例に限定されるものではなく、様々な変形例が含まれる。例えば、ある実施例の構成の一部を他の実施例の構成に置き換えることが可能であり、また、ある実施例の構成に他の実施例の構成を加えることが可能である。また、各実施例の構成の一部について、他の実施例の構成の追加・削除・置換をすることが可能である。
【符号の説明】
【００７５】
１：ヘッドアップディスプレイ（ＨＵＤ）装置、
２：車両、
３：ウィンドシールド、
４：車両情報、
６ａ，６ｂ：映像光、
８：運転者の目、
９ａ，９ｂ：虚像、
１０：車両情報取得部、
２０：制御部、
２１：電子制御ユニット（ＥＣＵ）、
２５ａ，２５ｂ：光源調整部、
２５ｃ：光源駆動部、
２６ａ，２６ｂ：歪み補正部、
２７ａ，２７ｂ：表示素子駆動部、
２８：ミラー調整部、
２８ｃ：走査駆動部、
３０ａ：第１の映像表示装置、
３０ｂ：第２の映像表示装置、
３１ａ，３１ｂ：光源、
３３ａ，３３ｂ：表示素子、
３４：レーザ光源、
３５：走査ミラー、
４１：凹面ミラー、
４２：ミラー駆動部、
５０：グレアトラップ部、
５１：機能性フィルム、
５２：機能性フィルム制御部、
９０：表示領域。
【図１】
0006707666.tif 000002
【図２】
0006707666.tif 000003
【図３Ａ】
0006707666.tif 000004
【図３Ｂ】
0006707666.tif 000005
【図４】
0006707666.tif 000006
【図５】
0006707666.tif 000007
【図６】
0006707666.tif 000008
【図７】
0006707666.tif 000009
【図８】
0006707666.tif 000010
【図９】
0006707666.tif 000011
【図１０】
0006707666.tif 000012
【図１１】
0006707666.tif 000013
【図１２】
0006707666.tif 000014
【図１３】
0006707666.tif 000015
【図１４】
0006707666.tif 000016
【図１５Ａ】
0006707666.tif 000017
【図１５Ｂ】
0006707666.tif 000018
【図１５Ｃ】
0006707666.tif 000019